(57)【要約】【課題】空調機とショーケースとのグループ設定を自動で行う。【解決手段】空調機制御部３０１は、同一のエリア内に設置された複数の空調機１を１台ずつ試運転させ、温度取得部３０２は、上記エリア内に設置された複数のショーケース２の庫内温度を取得し、特定部３０３は、空調機１毎に、上記試運転により温度取得部３０２により取得された庫内温度が既定の温度範囲内に変化したショーケース２を特定し、グループ設定部３０４は、空調機１毎に、特定部３０３により特定されたショーケース２をグループに設定する。【選択図】図２
2019002607.tif 000002
【特許請求の範囲】
【請求項１】
空調機制御部は、同一のエリア内に設置された複数の空調機を１台ずつ試運転させ、
温度取得部は、前記エリア内に設置された複数のショーケースの庫内温度を取得し、
特定部は、前記空調機毎に、前記試運転により前記温度取得部により取得された庫内温度が既定の温度範囲内に変化した前記ショーケースを特定し、
グループ設定部は、前記空調機毎に、前記特定部により特定された前記ショーケースをグループに設定する
ことを特徴とする制御方法。
【請求項２】
ショーケース制御部は、前記空調機制御部による前記空調機の試運転の際に、前記ショーケースに対し、エアカーテンを形成させる
ことを特徴とする請求項１記載の制御方法。
【請求項３】
第２特定部は、前記空調機毎に、前記グループ設定部により同一のグループに設定された前記ショーケースを除く前記ショーケースのうち、前記試運転により前記温度取得部により取得された庫内温度が前記温度範囲よりも広い第２の温度範囲内に変化した前記ショーケースを特定し、
連携グループ設定部は、前記空調機が属するグループ毎に、前記第２特定部により特定された前記ショーケースが属するグループを連携グループに設定する
ことを特徴とする請求項１又は請求項２記載の制御方法。
【請求項４】
前記空調機制御部は、前記空調機を、風向を変えながら試運転させる
ことを特徴とする請求項１から請求項３のうちの何れか１項記載の制御方法。
【請求項５】
風向特定部は、前記空調機毎に、前記試運転における風向のうち、前記温度取得部により取得された庫内温度が既定の温度範囲内に変化した風向を特定し、
風向制御部は、前記空調機毎に、前記風向特定部により特定された風向に基づいて、風向を制御する
ことを特徴とする請求項４記載の制御方法。
【請求項６】
前記風向制御部は、前記空調機毎に、前記風向特定部により特定された風向への運転を禁止させる
ことを特徴とする請求項５記載の制御方法。
【請求項７】
同一のエリア内に設置された複数の空調機を１台ずつ試運転させる空調機制御部と、
前記エリア内に設置された複数のショーケースの庫内温度を取得する温度取得部と、
前記空調機毎に、前記試運転により前記温度取得部により取得された庫内温度が既定の温度範囲内となった前記ショーケースを特定する特定部と、
前記空調機毎に、前記特定部により特定された前記ショーケースをグループに設定するグループ設定部と
を備えた制御コントローラ。
【発明の詳細な説明】
【技術分野】
【０００１】
この発明は、空調機とショーケースとのグループ設定を行う制御方法及び制御コントローラに関する。
【背景技術】
【０００２】
従来から、食品スーパー等の施設では、同一のエリア内に複数の空調機及び複数のショーケースが設置されている。一方、一般的に、ショーケースが有する冷凍機の電力効率は、空調機の電力効率に対して悪い。そこで、従来から、グループに設定された空調機とショーケースとを連携制御することで、グループ内で省電力化を図る制御方法が知られている（例えば特許文献１参照）。この制御方法では、ショーケースが有する冷凍機の出力に基づき、当該ショーケースの冷却負荷が増大したと判定した場合に、グループに設定された空調機の設定温度を下げる制御を行っている。これにより、ショーケースが有する冷凍機を効率が良い運転状態で運転させることができ、省電力化を図ることができる。
【先行技術文献】
【特許文献】
【０００３】
【特許文献１】特開２００４−２０５１９４号公報
【発明の概要】
【発明が解決しようとする課題】
【０００４】
しかしながら、従来では、空調機とショーケースとのグループ設定は手動で行っており、煩雑であるという課題があった。
【０００５】
この発明は、上記のような課題を解決するためになされたもので、空調機とショーケースとのグループ設定を自動で行うことができる制御方法を提供することを目的としている。
【課題を解決するための手段】
【０００６】
この発明に係る制御方法は、空調機制御部は、同一のエリア内に設置された複数の空調機を１台ずつ試運転させ、温度取得部は、エリア内に設置された複数のショーケースの庫内温度を取得し、特定部は、空調機毎に、試運転により温度取得部により取得された庫内温度が既定の温度範囲内に変化したショーケースを特定し、グループ設定部は、空調機毎に、特定部により特定されたショーケースをグループに設定することを特徴とする。
【発明の効果】
【０００７】
この発明によれば、上記のように構成したので、空調機とショーケースとのグループ設定を自動で行うことができる。
【図面の簡単な説明】
【０００８】
【図１】この発明の実施の形態１に係る制御コントローラを備えた制御システムの構成例を示す図である。
【図２】この発明の実施の形態１に係る制御コントローラの構成例を示す図である。
【図３】この発明の実施の形態１に係る制御コントローラによるグループ設定動作例を示すフローチャートである。
【図４】図４Ａ〜図４Ｃは、この発明の実施の形態１に係る制御コントローラによるグループ設定動作の具体例を示す図であり、図４Ａは空調機及びショーケースの配置例を示す図であり、図４Ｂは空調機制御部による制御結果及び温度取得部による取得結果の一例を示す図であり、図４Ｃはグループ設定部による設定結果の一例を示す図である。
【図５】図５Ａ〜図５Ｃは、この発明の実施の形態１に係る制御コントローラによるグループ設定動作の別の具体例を示す図であり、図５Ａは空調機及びショーケースの配置例を示す図であり、図５Ｂは空調機制御部による制御結果及び温度取得部による取得結果の一例を示す図であり、図５Ｃはグループ設定部による設定結果の一例を示す図である。
【図６】図６Ａ〜図６Ｃは、この発明の実施の形態１に係る制御コントローラによるグループ設定動作の別の具体例を示す図であり、図６Ａは空調機及びショーケースの配置例を示す図であり、図６Ｂは空調機制御部による制御結果及び温度取得部による取得結果の一例を示す図であり、図６Ｃはグループ設定部による設定結果の一例を示す図である。
【図７】この発明の実施の形態２に係る制御コントローラによるグループ設定動作の具体例を示す図であり、エリアの分割例を示す図である。
【図８】この発明の実施の形態３に係る制御コントローラを備えた制御システムの構成例を示す図である。
【図９】この発明の実施の形態３に係る制御コントローラの構成例を示す図である。
【図１０】この発明の実施の形態４に係る制御コントローラの構成例を示す図である。
【図１１】この発明の実施の形態５に係る制御コントローラの構成例を示す図である。
【図１２】この発明の実施の形態５に係る制御コントローラによる風向制御動作例を示す図である。
【図１３】図１３Ａ、図１３Ｂは、この発明の実施の形態１−５に係る制御コントローラのハードウェア構成例を示す図である。
【発明を実施するための形態】
【０００９】
以下、この発明の実施の形態について図面を参照しながら詳細に説明する。
実施の形態１．
図１はこの発明の実施の形態１に係る制御コントローラ３を備えた制御システムの構成例を示す図である。
制御システムは、図１に示すように、複数の空調機１（１ａ〜１ｃ）、複数のショーケース２（２ａ〜２ｃ）、及び制御コントローラ３を備えている。
【００１０】
空調機１は、設置されたエリアにおける空気を調和（温度、湿度又は清浄度等を調整）する設備である。複数の空調機１は、同一のエリア内に設置されている。図１では３台の空調機１ａ〜１ｃを示しているが、台数はこれに限らない。
【００１１】
また、空調機１は、風を吹き出す吹き出し口１０１を１箇所以上有している。図１では、空調機１が吹き出し口１０１を４箇所有する場合を示している。また、複数の吹き出し口１０１を有する空調機１では、一般的に、各吹き出し口１０１に対する制御（発停制御及び風向角度制御）は共通とするものが多いが、当該制御を個別に設定可能とするものを用いてもよい。
【００１２】
ショーケース２は、陳列棚に陳列された商品に対して冷蔵又は冷凍を行う設備であり、エアカーテンを形成することで陳列棚を外気と遮断するオープン型のショーケースである。また、ショーケース２には、ショーケース２の冷却を行う冷凍機（不図示）が接続されている。なお、ショーケース２は、冷凍機を内蔵していてもよい。複数のショーケース２は、上記複数の空調機１と同一のエリア内に設置されている。図１では３台のショーケース２ａ〜２ｃを示しているが、台数はこれに限らない。
【００１３】
また、ショーケース２は、サーミスタ（温度計測部）２０１を有している。サーミスタ２０１は、ショーケース２の庫内温度を計測する。図１では、サーミスタ２０１が、エアカーテンの吸込み口２０２付近に設けられている。このサーミスタ２０１により計測された庫内温度を示す情報は、制御コントローラ３に出力される。なお、図１における符号２０３は、エアカーテンの吹き出し口を示している。
【００１４】
制御コントローラ３は、上記複数の空調機１と上記複数のショーケース２とを連携制御する。以下では、制御コントローラ３が有する機能のうち、空調機１とショーケース２とのグループ設定に関する機能について説明を行う。この制御コントローラ３は、図２に示すように、空調機制御部３０１、温度取得部３０２、特定部３０３、グループ設定部３０４及びグループ登録部３０５を備えている。
【００１５】
空調機制御部３０１は、上記複数の空調機１を１台ずつ試運転させる。この際、空調機制御部３０１は、空調機１を、風向を任意の角度に固定させたまま試運転させてもよいし、風向を変えながら試運転させてもよい。
【００１６】
温度取得部３０２は、上記複数のショーケース２の庫内温度を取得する。すなわち、温度取得部３０２は、ショーケース２が有するサーミスタ２０１により計測された庫内温度を取得する。
【００１７】
特定部３０３は、空調機１毎に、上記試運転により温度取得部３０２により取得された庫内温度が既定の温度範囲内に変化したショーケース２を特定する。この際、特定部３０３は、庫内温度が上記温度範囲内に変化したショーケース２のうち、例えば、全てのショーケース２を特定してもよいし、最も温度変化の大きいショーケース２のみを特定してもよいし、温度変化の大きい既定数のショーケース２のみを特定してもよい。
【００１８】
グループ設定部３０４は、空調機１毎に、特定部３０３により特定されたショーケース２をグループに設定する。
【００１９】
グループ登録部３０５は、グループ設定部３０４により同一のグループに設定された空調機１とショーケース２を示す情報をメモリに登録する。
【００２０】
次に、実施の形態１に係る制御コントローラ３によるグループ設定動作例について、図３を参照しながら説明する。なお、ショーケース２は運転を停止しており、エアカーテンも形成されていない状態とする。
制御コントローラ３によるグループ設定動作例では、図３に示すように、まず、空調機制御部３０１は、同一のエリア内に設置された複数の空調機１のうちの１台の空調機１を試運転させる（ステップＳＴ３０１）。これにより、上記空調機１は、一定期間、試運転を行う。なお、試運転によりショーケース２の庫内温度に影響を与える空調機１を特定できればよいため、空調機１の試運転は冷房運転に限らず、暖房運転でもよい。
【００２１】
次いで、温度取得部３０２は、上記エリア内に設置された複数のショーケース２の庫内温度を取得する（ステップＳＴ３０２）。
【００２２】
次いで、空調機制御部３０１は、上記エリア内に設置された空調機１を全て試運転させたかを判定する（ステップＳＴ３０３）。このステップＳＴ３０３において、空調機制御部３０１は、試運転させていない空調機１が有ると判定した場合には、シーケンスはステップＳＴ３０１に戻り、該当する次の空調機１を試運転させる。
【００２３】
一方、ステップＳＴ３０３において、空調機制御部３０１が、空調機１を全て試運転させたと判定した場合には、特定部３０３は、空調機１毎に、上記試運転により温度取得部３０２により取得された庫内温度が既定の温度範囲内に変化したショーケース２を特定する（ステップＳＴ３０４）。
【００２４】
次いで、グループ設定部３０４は、空調機１毎に、特定部３０３により特定されたショーケース２をグループに設定する（ステップＳＴ３０５）。これにより、空調機１毎に、空調機１により冷却負荷に大きな影響を受けるショーケース２が、同一のグループに設定される。
【００２５】
次いで、グループ登録部３０５は、グループ設定部３０４により同一のグループに設定された空調機１とショーケース２を示す情報をメモリに登録する（ステップＳＴ３０６）。これにより、同一のエリア内に設置された複数の空調機１と複数のショーケース２とのグループ設定が完了する。
【００２６】
次に、制御コントローラ３によるグループ設定動作の具体例について、図４〜６を参照しながら説明する。
まず、４台の空調機１ａ〜１ｄ及び４台のショーケース２ａ〜２ｄが図４Ａに示すように配置された場合での、制御コントローラ３によるグループ設定動作例について説明する。図４Ａに示す空調機１ａ〜１ｄは、吹き出し口１０１が１箇所である。また、特定部３０３は、庫内温度が２０℃以下になったショーケース２を全て特定するものとする。
この場合、図４Ｂに示すように、空調機制御部３０１は空調機１ａ〜１ｄを１台ずつ試運転させ、温度取得部３０２はショーケース２ａ〜２ｄの庫内温度を取得する。そして、特定部３０３は、図４Ｂの結果から、空調機１ａの試運転により庫内温度が２０℃以下となったショーケース２ａを特定し、空調機１ｂの試運転により庫内温度が２０℃以下となったショーケース２ｂを特定し、空調機１ｃの試運転により庫内温度が２０℃以下となったショーケース２ｃを特定し、空調機１ｄの試運転により庫内温度が２０℃以下となったショーケース２ｄを特定する。
よって、グループ設定部３０４は、特定部３０３による特定結果から、図４Ｃに示すように、空調機１ａとショーケース２ａとをグループに設定し、空調機１ｂとショーケース２ｂとをグループに設定し、空調機１ｃとショーケース２ｃとをグループに設定し、空調機１ｄとショーケース２ｄとをグループに設定する。
【００２７】
次に、２台の空調機１ａ，１ｂ及び４台のショーケース２ａ〜２ｄが図５Ａに示すように配置された場合での、制御コントローラ３によるグループ設定動作例について説明する。図５Ａに示す空調機１ａ，１ｂは、吹き出し口１０１が２箇所である。また、特定部３０３は、庫内温度が２０℃以下になったショーケース２を全て特定するものとする。
この場合、図５Ｂに示すように、空調機制御部３０１は空調機１ａ，１ｂを１台ずつ試運転させ、温度取得部３０２はショーケース２ａ〜２ｄの庫内温度を取得する。そして、特定部３０３は、図５Ｂの結果から、空調機１ａの試運転により庫内温度が２０℃以下となったショーケース２ａ，２ｃを特定し、空調機１ｂの試運転により庫内温度が２０℃以下となったショーケース２ｂ，２ｄを特定する。
よって、グループ設定部３０４は、特定部３０３による特定結果から、図５Ｃに示すように、空調機１ａとショーケース２ａ，２ｃとをグループに設定し、空調機１ｂとショーケース２ｂ，２ｄとをグループに設定する。
【００２８】
次に、２台の空調機１ａ，１ｂ及び３台のショーケース２ａ〜２ｃが図６Ａに示すように配置された場合での、制御コントローラ３によるグループ設定動作例について説明する。図６Ａに示す空調機１ａ，１ｂは、吹き出し口１０１が４箇所である。また、特定部３０３は、庫内温度が２０℃以下になったショーケース２を全て特定するものとする。
この場合、図６Ｂに示すように、空調機制御部３０１は空調機１ａ，１ｂを１台ずつ試運転させ、温度取得部３０２はショーケース２ａ〜２ｃの庫内温度を取得する。そして、特定部３０３は、図６Ｂの結果から、空調機１ａの試運転により庫内温度が２０℃以下となったショーケース２ａ，２ｂを特定し、空調機１ｂの試運転により庫内温度が２０℃以下となったショーケース２ａ，２ｃを特定する。
そして、グループ設定部３０４は、特定部３０３による特定結果から、図６Ｃに示すように、空調機１ａとショーケース２ａ，２ｂとをグループに設定し、空調機１ｂとショーケース２ａ，２ｃとをグループに設定する。
【００２９】
なお図５，６では、全ての空調機１に対して２台のショーケース２がそれぞれ対応付けられた場合を示した。しかしながら、これに限らず、空調機１とショーケース２との配置によっては、１台のショーケース２しか対応付けられない空調機１も存在し得る。
【００３０】
なお上記では、１台の空調機１に対して１台のショーケース２が対応付けられた場合、１台の空調機１に対して複数台（例えば２台）のショーケース２が対応付けられた場合を示した。しかしながら、これに限らず、空調機１とショーケース２との配置によっては、複数台（例えば２台）の空調機１に対して１台のショーケース２が対応付けられる場合もある。
【００３１】
以上のように、この実施の形態１によれば、空調機制御部３０１は、同一のエリア内に設置された複数の空調機１を１台ずつ試運転させ、温度取得部３０２は、上記エリア内に設置された複数のショーケース２の庫内温度を取得し、特定部３０３は、空調機１毎に、上記試運転により温度取得部３０２により取得された庫内温度が既定の温度範囲内に変化したショーケース２を特定し、グループ設定部３０４は、空調機１毎に、特定部３０３により特定されたショーケース２をグループに設定するように構成したので、空調機１とショーケース２とのグループ設定を自動で行うことができる。
また、空調機１の試運転は、運用前に必ず実施される作業である。そのため、この試運転を利用することで、新たな作業を追加せずに、空調機１とショーケース２とのグループ設定を行うことができる。また、ショーケース２は運転を停止した状態とすることで、空調機１の影響を受けるショーケース２を精度よく特定できる。
【００３２】
実施の形態２．
実施の形態１では、グループ設定を行うエリアが広くはない場合を想定し、空調機制御部３０１が、当該エリア内に設置された複数の空調機１を１台ずつ試運転させる場合を示した。しかしながら、グループ設定を行うエリアが広い場合、１台ずつの試運転では処理に時間がかかり、効率が悪い。そこで、実施の形態２では、グループ設定を行うエリアが広い場合でも効率良くグループ設定を行うことができる構成について説明する。
なお、実施の形態２に係る制御システムの構成例は、図１に示す実施の形態１に係る制御システムと同様であり、図１を用いて異なる部分についてのみ説明を行う。
【００３３】
空調機制御部３０１は、予め、上記エリアを複数に分割する。そして、空調機制御部３０１は、上記分割したエリア（分割エリアと称す）毎に、当該分割エリア内に設置された複数の空調機１を１台ずつ試運転させる。またこの際、空調機制御部３０１は、相互に影響を与えない分割エリアについては、同時に試運転を実施する。
例えば図７では、１６台の空調機１（１ａ−１〜１ａ−４，１ｂ−１〜１ｂ−４，１ｃ−１〜１ｃ−４，１ｄ−１〜１ｄ−４）が設置されたエリアを４つの分割エリア（エリアＡ〜エリアＤ）に分割している。この場合、例えば、空調機制御部３０１は、まず、エリアＡにおいて、空調機１ａ−１〜１ａ−４を１台ずつ順に試運転させ、同時に、エリアＤにおいて、空調機１ｄ−１〜１ｄ−４の１台ずつ順に試運転させる。その後、空調機制御部３０１は、エリアＢにおいて、空調機１ｂ−１〜１ｂ−４を１台ずつ順に試運転させ、同時に、エリアＣにおいて、空調機１ｃ−１〜１ｃ−４を１台ずつ順に試運転させる。
このように、相互に影響を与えない分割エリアに対して同時に試運転を実施することで、エリアが広い場合でもグループ設定の効率を高めることができる。
【００３４】
実施の形態３．
実施の形態１では、ショーケース２が有するサーミスタ２０１が、エアカーテンの吸込み口２０２付近に設けられた場合を示した。一方、サーミスタ２０１の配置箇所はこれに限らず、ショーケース２の機種によっては、例えば図８に示すように、エアカーテンの吹き出し口２０３付近に設けられている場合もある。この場合、サーミスタ２０１には空調機１により吹き出された風が直接当たらないため、サーミスタ２０１は空調機１による庫内温度の変化を検知できない場合があり、制御コントローラ３がグループ設定できない場合がある。そこで、実施の形態３では、サーミスタ２０１の配置箇所に関わらず、制御コントローラ３がグループ設定できる構成について説明する。
図９はこの発明の実施の形態３に係る制御コントローラ３の構成例を示す図である。この図９に示す実施の形態３に係る制御コントローラ３では、図２に示す実施の形態１に係る制御コントローラ３に対し、ショーケース制御部３０６を追加している。その他の構成は同様であり、同一の符号を付してその説明を省略する。
【００３５】
ショーケース制御部３０６は、空調機制御部３０１による空調機１の試運転の際に、ショーケース２に対し、エアカーテンを形成させる。そして、ショーケース２は、エアカーテンを形成する。
これにより、空調機１により影響を受けるショーケース２では、当該空調機１から吹き出された風によりエアカーテンが乱れて庫内に気流が発生し、これが対流することで庫内温度が一定となる。よって、サーミスタ２０１の配置箇所に関わらず、サーミスタ２０１は空調機１による庫内温度の変化を検知できる。その結果、制御コントローラ３によるグループ設定が実施可能となる。
【００３６】
なお上記では、実施の形態１に係る制御システムに対し、ショーケース制御部３０６を追加した場合を示した。しかしながら、これに限らず、実施の形態２に係る制御システムに対し、ショーケース制御部３０６を追加してもよく、同様の効果が得られる。
【００３７】
実施の形態４．
実施の形態１では、制御コントローラ３が、複数の空調機１と複数のショーケース２とのグループ設定を行う場合を示した。これにより、制御コントローラ３では、同一のグループに設定された空調機１とショーケース２との間で連携制御を行うことができる。一方、本出願人は、上記の連携制御に加え、グループ間での連携制御を行う構成を提案している（特願２０１６−１３０３９１号）。そこで、実施の形態４では、制御コントローラ３が、複数の空調機１と複数のショーケース２とのグループ設定に加え、連携を行うグループの設定を行う構成について示す。
図１０はこの発明の実施の形態４に係る制御コントローラ３の構成例を示す図である。この図１０に示す実施の形態４に係る制御コントローラ３は、図２に示す実施の形態１に係る制御コントローラ３に対し、第２特定部３０７、連携グループ設定部３０８及び連携グループ登録部３０９を追加している。その他の構成は同様であり、同一の符号を付してその説明を省略する。
【００３８】
第２特定部３０７は、空調機１毎に、グループ設定部３０４により同一のグループに設定されたショーケース２を除くショーケース２のうち、上記試運転により温度取得部３０２により取得された庫内温度が第２の温度範囲内に変化したショーケース２を特定する。第２の温度範囲は、特定部３０３で用いられる温度範囲よりも広い温度範囲である。また、第２特定部３０７は、庫内温度が上記第２の温度範囲内に変化したショーケース２のうち、例えば、全てのショーケース２を特定してもよいし、最も温度変化の大きいショーケース２のみを特定してもよいし、温度変化の大きい既定数のショーケース２のみを特定してもよい。
【００３９】
連携グループ設定部３０８は、空調機１が属するグループ毎に、第２特定部３０７により特定されたショーケース２が属するグループを連携グループに設定する。
【００４０】
連携グループ登録部３０９は、連携グループ設定部３０８により同一の連携グループに設定されたグループを示す情報をメモリに登録する。
【００４１】
このように、第２特定部３０７が、空調機１により冷却負荷に影響を受ける他グループに属するショーケース２を特定し、連携グループ設定部３０８が、当該空調機１が属するグループと当該ショーケース２が属するグループとを連携グループに設定することで、連携を行うグループの設定を自動で行うことができる。
【００４２】
なお上記では、実施の形態１に係る制御システムに対し、第２特定部３０７、連携グループ設定部３０８及び連携グループ登録部３０９を追加した場合を示した。しかしながら、これに限らず、実施の形態２，３に係る制御システムに対し、第２特定部３０７、連携グループ設定部３０８及び連携グループ登録部３０９を追加してもよく、同様の効果が得られる。
【００４３】
実施の形態５．
実施の形態１では、制御コントローラ３が、同一のエリア内に設置された複数の空調機１と複数のショーケース２とのグループ設定を行う構成について示した。一方、運用時に、同一のグループに設定された空調機１による風がショーケース２のエアカーテンに当たってしまうと、エアカーテンの気流が乱れ、庫内温度が上がってしまう。そこで、実施の形態５では、空調機１の風向を制御する方法を示す。
図１１はこの発明の実施の形態５に係る制御コントローラ３の構成例を示す図である。図１１に示す実施の形態５に係る制御コントローラ３では、図２に示す実施の形態１に係る制御コントローラ３に対し、風向特定部３１０及び風向制御部３１１を追加している。その他の構成は同様であり、同一の符号を付して異なる部分のみ説明を行う。
【００４４】
空調機制御部３０１は、上記複数の空調機１を、風向を変えながら１台ずつ試運転させる。なお、グループ設定動作において、空調機制御部３０１が、上記複数の空調機１を、風向を変えながら１台ずつ試運転させている場合には、風向特定部３１０は、この際に温度取得部３０２により取得された庫内温度を示す情報を用いることができる。よって、この場合には、風向制御動作における空調機制御部３０１の処理は不要である。
【００４５】
風向特定部３１０は、空調機１毎に、上記試運転における風向のうち、温度取得部３０２により取得された庫内温度が既定の温度範囲内に変化した風向を特定する。なお、風向特定部３１０で用いられる温度範囲は、特定部３０３で用いられる温度範囲と同一でもよいし異なっていてもよい。
【００４６】
風向制御部３１１は、空調機１毎に、風向特定部３１０により特定された風向に基づいて、風向を制御する。この際、風向制御部３１１は、例えば、空調機１毎に、風向特定部３１０により特定された風向への運転を禁止させる。
【００４７】
次に、実施の形態５に係る制御コントローラ３による風向制御動作例について、図１２を参照しながら説明する。以下では、空調機制御部３０１が処理を行う場合を示す。また、ショーケース２は運転を停止しており、エアカーテンも形成されていない状態とする。
制御コントローラ３による風向制御動作例では、図１２に示すように、まず、空調機制御部３０１は、同一のエリア内に設置された複数の空調機１のうちの１台の空調機１を、風向を変えながら試運転させる（ステップＳＴ１２０１）。これにより、上記空調機１は、一定期間、風向を変えながら試運転を行う。なお、空調機１の試運転によりショーケース２の庫内温度に影響を与える風向を特定できればよいため、空調機１の試運転は冷房運転に限らず、暖房運転でもよい。
【００４８】
次いで、温度取得部３０２は、上記エリア内に設置された複数のショーケース２の庫内温度を取得する（ステップＳＴ１２０２）。
【００４９】
次いで、空調機制御部３０１は、上記エリア内に設置された空調機１を全て試運転させたかを判定する（ステップＳＴ１２０３）。このステップＳＴ１２０３において、空調機制御部３０１は、試運転させていない空調機１が有ると判定した場合には、シーケンスはステップＳＴ１２０１に戻り、該当する次の空調機１を風向を変えながら試運転させる。
【００５０】
一方、ステップＳＴ１２０３において、空調機制御部３０１が、空調機１を全て試運転させたと判定した場合には、風向特定部３１０は、空調機１毎に、上記試運転における風向のうち、温度取得部３０２により取得された庫内温度が既定の温度範囲内に変化した風向を特定する（ステップＳＴ１２０４）。これにより、空調機１毎に、運用時に、ショーケース２のエアカーテンを乱す恐れのある風向を特定できる。
【００５１】
次いで、風向制御部３１１は、空調機１毎に、風向特定部３１０により特定された風向に基づいて、風向を制御する（ステップＳＴ１２０５）。この際、風向制御部３１１は、例えば、空調機１毎に、風向特定部３１０により特定された風向への運転を禁止させる。なお、空調機１が複数の吹き出し口１０１を有し、全ての吹き出し口１０１を同じ風向角度のみに設定可能である場合には、風向制御部３１１は、全ての吹き出し口１０１に対して上記風向への運転を禁止させる。また、空調機１が吹き出し口１０１を互いに異なる風向角度に設定可能である場合には、風向制御部３１１は、該当する吹き出し口１０１に対してのみ上記風向への運転を禁止させる。これにより、同一のグループに設定された空調機１による冷風がショーケース２のエアカーテンに当たらないように風向制御できる。
【００５２】
なお上記では、風向制御部３１１が、空調機１に対し、ショーケース２のエアカーテンを乱す恐れのある風向への運転を禁止させる場合を示した。一方、ショーケース２を積極的に冷やすため、風向制御部３１１が、空調機１に対し、上記風向への運転を敢えて許容する制御も考えられる。また、風向制御部３１１が、空調機１に対し、風量が大きい場合には上記風向への運転を禁止させ、風量が小さい場合には上記風向への運転を許容する制御も考えられる。風向制御部３１１による上記制御は、例えばユーザ操作により任意に設定可能としてもよい。
【００５３】
以上のように、この実施の形態５によれば、風向特定部３１０は、空調機１毎に、上記試運転における風向のうち、温度取得部３０２により取得された庫内温度が既定の温度範囲内に変化した風向を特定し、風向制御部３１１は、空調機１毎に、風向特定部３１０により特定された風向に基づいて、風向を制御するように構成したので、実施の形態１における効果に加え、空調機１の風向を制御できる。
【００５４】
なお上記では、実施の形態１に係る制御システムに対し、風向特定部３１０及び風向制御部３１１を追加した場合を示した。しかしながら、これに限らず、実施の形態２−４に係る制御システムに対し、風向特定部３１０及び風向制御部３１１を追加してもよく、同様の効果が得られる。
【００５５】
また上記では、ショーケース２が、陳列棚に陳列された商品に対して冷蔵又は冷凍を行う設備である場合を示した。しかしながら、これに限らず、ショーケース２は、上記商品に対して保温を行う設備であってもよい。
【００５６】
最後に、図１３を参照して、実施の形態１−５に係る制御コントローラ３のハードウェア構成例を説明する。以下では、実施の形態１に係る制御コントローラ３のハードウェア構成例を示すが、実施の形態２−５に係る制御コントローラ３についても同様である。
制御コントローラ３における空調機制御部３０１、温度取得部３０２、特定部３０３、グループ設定部３０４及びグループ登録部３０５の各機能は、処理回路５１により実現される。処理回路５１は、図１３Ａに示すように、専用のハードウェアであっても、図１３Ｂに示すように、メモリ５３に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）ともいう）５２であってもよい。
【００５７】
処理回路５１が専用のハードウェアである場合、処理回路５１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。空調機制御部３０１、温度取得部３０２、特定部３０３、グループ設定部３０４及びグループ登録部３０５の各部の機能それぞれを処理回路５１で実現してもよいし、各部の機能をまとめて処理回路５１で実現してもよい。
【００５８】
処理回路５１がＣＰＵ５２の場合、空調機制御部３０１、温度取得部３０２、特定部３０３、グループ設定部３０４及びグループ登録部３０５の機能は、ソフトウェア、ファームウェア、又はソフトウェアとファームウェアとの組み合わせにより実現される。ソフトウェアやファームウェアはプログラムとして記述され、メモリ５３に格納される。処理回路５１は、メモリ５３に記憶されたプログラムを読み出して実行することにより、各部の機能を実現する。すなわち、制御コントローラ３は、処理回路５１により実行されるときに、例えば図３に示した各ステップが結果的に実行されることになるプログラムを格納するためのメモリ５３を備える。また、これらのプログラムは、空調機制御部３０１、温度取得部３０２、特定部３０３、グループ設定部３０４及びグループ登録部３０５の手順や方法をコンピュータに実行させるものであるともいえる。ここで、メモリ５３とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）等の、不揮発性又は揮発性の半導体メモリや、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等が該当する。
【００５９】
なお、空調機制御部３０１、温度取得部３０２、特定部３０３、グループ設定部３０４及びグループ登録部３０５の各機能について、一部を専用のハードウェアで実現し、一部をソフトウェア又はファームウェアで実現するようにしてもよい。例えば、空調機制御部３０１については専用のハードウェアとしての処理回路５１でその機能を実現し、温度取得部３０２、特定部３０３、グループ設定部３０４及びグループ登録部３０５については処理回路５１がメモリ５３に格納されたプログラムを読み出して実行することによってその機能を実現することが可能である。
【００６０】
このように、処理回路５１は、ハードウェア、ソフトウェア、ファームウェア、又はこれらの組み合わせによって、上述の各機能を実現することができる。
【００６１】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６２】
１  空調機、２  ショーケース、３  制御コントローラ、５１  処理回路、５２  ＣＰＵ、５３  メモリ、１０１  吹き出し口、２０１  サーミスタ（温度計測部）、２０２  吸込み口、２０３  吹き出し口、３０１  空調機制御部、３０２  温度取得部、３０３  特定部、３０４  グループ設定部、３０５  グループ登録部、３０６  ショーケース制御部、３０７  第２特定部、３０８  連携グループ設定部、３０９  連携グループ登録部、３１０  風向特定部、３１１  風向制御部。
【図１】
2019002607.tif 000003
【図２】
2019002607.tif 000004
【図３】
2019002607.tif 000005
【図４】
2019002607.tif 000006
【図５】
2019002607.tif 000007
【図６】
2019002607.tif 000008
【図７】
2019002607.tif 000009
【図８】
2019002607.tif 000010
【図９】
2019002607.tif 000011
【図１０】
2019002607.tif 000012
【図１１】
2019002607.tif 000013
【図１２】
2019002607.tif 000014
【図１３】
2019002607.tif 000015